(57)【要約】【課題】視認性や見栄え品質、デザイン自由度の優れた表示装置を提供する。【解決手段】表示窓６３を有する表示板６と、表示窓６３を通じて視認可能な表示部３２，３３を有する表示部材３と、この表示部材３を移動させる駆動部材４とを備え、表示窓６３を通して視認される表示部３２，３３の移動量によって計測値を表示する表示装置において、表示部材３が表示部３２，３３が設けられた柔軟性を有する帯状部材からなり、表示窓６２の直下を外れた表示板６の背後位置に、表示窓６３に沿って表示部材３の移動を案内するガイド壁（ガイド部材）２１，２２を設け、表示窓６３と表示部材３の双方に対向する表示板６の背後位置に、表示部３２，３３の像を表示窓６３側に反射させることにより表示窓６３を通して表示部３２，３３を視認させる反射手段５を設けた。【選択図】  図２
2010223927.tif 000002
【特許請求の範囲】
【請求項１】
指標部に沿った表示窓を有する表示板と、
この表示板の背後に配置され前記表示窓を通じて視認可能な表示部を有する表示部材と、
この表示部材を移動させる駆動部材とを備え、
前記表示窓を通して視認される前記表示部の移動量によって計測値を表示する表示装置において、
前記表示部材がその表示面に少なくとも２種類の異なる色の前記表示部が設けられた柔軟性を有する帯状部材からなり、
前記表示窓の直下を外れた前記表示板の背後位置に、前記表示窓に沿って前記表示部材の移動を案内するガイド部材を設け、
前記表示窓と前記表示部材の双方に対向する前記表示板の背後位置に、前記表示部の像を前記表示窓側に反射させることにより前記表示窓を通して前記表示部を視認させる反射手段を設けたことを特徴とする表示装置。
【請求項２】
前記ガイド部材が前記表示窓に沿って延びる一対のガイド壁からなり、前記表示部材が前記表示窓の形状に対応した形状の閉じられた輪を形成するように前記ガイド壁内に引き回され、前記駆動部材が前記表示窓に対応した形状であって前記表示部材と部分連結されるリングギアと、このリングギアを移動させる駆動源とからなることを特徴とする請求項１記載の表示装置。
【請求項３】
前記ガイド部材が前記表示窓に沿って延びる一対のガイド壁からなり、前記表示部材が前記表示窓の形状に対応した形状の閉じられた輪を形成するように前記ガイド壁内に引き回され、前記駆動部材が前記表示部材の前記輪に掛け渡される駆動ローラ及び従動ローラと、前記駆動ローラを駆動する駆動源とからなることを特徴とする請求項１記載の表示装置。
【請求項４】
前記表示部材が前記表示部を有するラックからなるか、またはラックに装着されてなり、前記駆動部材がラックに対してラックアンドピニオン形式にて連結されるピニオンギヤとこのピニオンギヤを駆動する駆動源からなることを特徴とする請求項１記載の表示装置。
【請求項５】
前記表示窓に少なくとも観察者側に凸面を有するレンズ部材を配置したことを特徴とする請求項１記載の表示装置。
【請求項６】
前記表示窓に少なくとも観察者側に立体形状を有する透明部材を配置したことを特徴とする請求項１記載の表示装置。
【請求項７】
前記透明部材が観察者側に凸面を有するレンズ部材からなることを特徴とする請求項６記載の表示装置。
【請求項８】
前記表示部の少なくとも一部を透光性着色部として設け、前記表示部材を挟んで前記反射手段の反対側に前記透光性着色部を透過照明する光源を設けたことを特徴とする請求項１記載の表示装置。
【請求項９】
前記光源はその光軸中心が前記透光性着色部を通って前記反射手段に向かうように前記表示部材の移動方向に沿って間隔を空けて複数配置されることを特徴とする請求項８記載の表示装置。
【請求項１０】
前記透光性着色部に対応する前記ガイド部材箇所に切り欠き部を設けたことを特徴とする請求項８記載の表示装置。
【請求項１１】
前記表示部の少なくとも一部を透光性着色部として設け、前記表示部材を挟んで前記反射手段の反対側に第２の反射手段を設け、この第２の反射手段を通じて反射した光が前記透光性着色部を透過して前記反射手段に向かうように前記第２の反射手段に対して光源を対向配置したことを特徴とする請求項１記載の表示装置。
【請求項１２】
前記駆動部材が前記表示部材を移動させる駆動源を含み、この駆動源と前記光源とが前記表示板に対向配置される回路基板に搭載されることを特徴とする請求項１１記載の表示装置。
【請求項１３】
前記光源はその光軸中心が前記反射手段と前記第２の反射手段との対向方向に対して交差する方向に向かうように前記表示部材の移動方向に沿って間隔を空けて複数配置されることを特徴とする請求項１２記載の表示装置。
【請求項１４】
前記透光性着色部に対応する前記ガイド部材箇所に切り欠き部を設けたことを特徴とする請求項１１記載の表示装置。
【請求項１５】
前記表示部材と前記表示窓との間に第１の導光体が配置され、この第１の導光体の壁面を利用して前記反射手段が形成されることを特徴とする請求項１１記載の表示装置。
【請求項１６】
前記光源と前記表示部材との間に第２の導光体が配置され、この第２の導光体の壁面を利用して前記第２の反射手段が形成されることを特徴とする請求項１１記載の表示装置。
【請求項１７】
前記第１の導光体に前記透明部材を連続形成したことを特徴とする請求項１５記載の表示装置。
【発明の詳細な説明】
【技術分野】
【０００１】
本発明は、例えば車両用計器として使用するのに好適な表示装置に関し、特に表示板が指標部に沿った表示窓を有し、この表示窓の背後に表示部を有する表示部材を配置し、この表示部材を駆動部材を通じて移動させることで、計測値を表示する表示装置に関するものである。
【背景技術】
【０００２】
この種の表示装置として例えば下記特許文献１に記載されているものが知られている。この表示装置は、円弧状の指標部に沿った表示窓を有する表示板と、この表示板の背後に配置され前記表示窓を通じて視認可能な表示部を有する回転板（表示部材）と、この回転板を回転移動させる駆動部材とを備え、表示窓を通して視認される表示部の移動量によって計測値を表示するもので、回転板に設ける表示部の形状を、回転板の回転軸を中心とした螺旋とし、且つ表示板に設ける表示窓の形状を、外周は半径が一定の円、内周は螺旋とすることにより、回転板の回転範囲が１８０°を超える場合であっても回転板によって計測値が表示できるように構成している。
【先行技術文献】
【特許文献】
【０００３】
【特許文献１】特開２００８−０７０１６２号公報
【発明の開示】
【発明が解決しようとする課題】
【０００４】
しかしながら、前記特許文献１に記載の表示装置は、表示板に設ける表示窓の形状を、外周は半径が一定の円、内周は螺旋とする構成であるため、表示窓の幅が一端から他端に向けて徐々に変化するのに対し、回転板に設ける表示部の幅は一定であるため、広範囲にわたって表示窓と表示部との間に隙間が生じ、視認性や見栄え品質の点で改良の余地が残されている。
また前記特許文献１に記載の表示装置は、回転板に設けた表示部を表示窓を通じて視認させる構成であるため、表示部の移動軌道（経路）が螺旋形状か真円形状に限定されてしまい、例えば楕円形をはじめとする他の形状については対応できず、表示デザインの自由度の点で改良の余地が残されていた。
【０００５】
本発明は前述の課題に着目し、視認性や見栄え品質、デザイン自由度の優れた表示装置を提供することを目的とするものである。
【課題を解決するための手段】
【０００６】
本発明は、前述した課題を解決するため、指標部に沿った表示窓を有する表示板と、この表示板の背後に配置され前記表示窓を通じて視認可能な表示部を有する表示部材と、この表示部材を移動させる駆動部材とを備え、前記表示窓を通して視認される前記表示部の移動量によって計測値を表示する表示装置において、前記表示部材がその表示面に少なくとも２種類の異なる色の前記表示部が設けられた柔軟性を有する帯状部材からなり、前記表示窓の直下を外れた前記表示板の背後位置に、前記表示窓に沿って前記表示部材の移動を案内するガイド部材を設け、前記表示窓と前記表示部材の双方に対向する前記表示板の背後位置に、前記表示部の像を前記表示窓側に反射させることにより前記表示窓を通して前記表示部を視認させる反射手段を設けたことを特徴とする。
これによれば、表示窓の直下を外れた位置に配置した表示部材の表示部が反射手段によって、反射像として表示窓から視認されるため、表示部の移動範囲が１８０度を超える場合でも表示窓および表示窓から見える表示部の幅を一定に設定することができ、視認性や見栄え品質を向上させることができる。また柔軟性材料からなる帯状部材の表示部を反射像として見せることで、表示部の移動軌道を真円、楕円、螺旋等、任意に設定できるため、表示デザインの自由度を向上させることができる。
【０００７】
また本発明は、前記ガイド部材が前記表示窓に沿って延びる一対のガイド壁からなり、前記表示部材が前記表示窓の形状に対応した形状の閉じられた輪を形成するように前記ガイド壁内に引き回され、前記駆動部材が前記表示窓に対応した形状であって前記表示部材と部分連結されるリングギアと、このリングギアを移動させる駆動源とからなることを特徴とする。
これによれば、表示部材を確実に作動させて表示部による表示を適正なものとすることができる。
【０００８】
また本発明は、前記ガイド部材が前記表示窓に沿って延びる一対のガイド壁からなり、前記表示部材が前記表示窓の形状に対応した形状の閉じられた輪を形成するように前記ガイド壁内に引き回され、前記駆動部材が前記表示部材の前記輪に掛け渡される駆動ローラ及び従動ローラと、前記駆動ローラを駆動する駆動源とからなることを特徴とする。
これによれば、表示部材を確実に作動させて表示部による表示を適正なものとすることができる。
【０００９】
また本発明は、前記表示部材が前記表示部を有するラックからなるか、またはラックに装着されてなり、前記駆動部材がラックに対してラックアンドピニオン形式にて連結されるピニオンギヤとこのピニオンギヤを駆動する駆動源からなることを特徴とする。
これによれば、表示部材を確実に作動させて表示部による表示を適正なものとすることができる。
【００１０】
また本発明は、前記表示窓に少なくとも観察者側に立体形状を有する透明部材を配置したことを特徴とする。
これによれば、斬新な見栄えを可能とすることができる。
【００１１】
また本発明は、前記透明部材が観察者側に凸面を有するレンズ部材からなることを特徴とする。
これによれば、表示に立体感を与え、斬新な見栄えを可能とすることができる。
【００１２】
また本発明は、前記表示部の少なくとも一部を透光性着色部として設け、前記表示部材を挟んで前記反射手段の反対側に前記透光性着色部を透過照明する光源を設けたことを特徴とする。
これによれば、光源によって表示部を明るく照らすことができるので、暗所でも容易に視認することができる。
【００１３】
また本発明は、前記光源はその光軸中心が前記透光性着色部を通って前記反射手段に向かうように前記表示部材の移動方向に沿って間隔を空けて複数配置されることを特徴とする。
これによれば、表示部を効率よく照明することができる。
【００１４】
また本発明は、前記透光性着色部に対応する前記ガイド部材箇所に切り欠き部を設けたことを特徴とする。
これによれば、ガイド部材によって表示部材を移動案内しながら表示部を照明することができる。
【００１５】
また本発明は、前記表示部の少なくとも一部を透光性着色部として設け、前記表示部材を挟んで前記反射手段の反対側に第２の反射手段を設け、この第２の反射手段を通じて反射した光が前記透光性着色部を透過して前記反射手段に向かうように前記第２の反射手段に対して光源を対向配置したことを特徴とする。
これによれば、光源によって表示部を明るく照らすことができるので、暗所でも容易に視認することができる。
【００１６】
また本発明は、前記駆動部材が前記表示部材を移動させる駆動源を含み、この駆動源と前記光源とが前記表示板に対向配置される回路基板に搭載されることを特徴とする。
これによれば、駆動源を搭載する回路基板に光源も搭載することができるので、コストダウンを達成できる。
【００１７】
また本発明は、前記光源はその光軸中心が前記反射手段と前記第２の反射手段との対向方向に対して交差する方向に向かうように前記表示部材の移動方向に沿って間隔を空けて複数配置されることを特徴とする。
これによれば、表示部を効率よく照明することができる。
【００１８】
また本発明は、前記透光性着色部に対応する前記ガイド部材箇所に切り欠き部を設けたことを特徴とする。
これによれば、ガイド部材によって表示部材を移動案内しながら表示部を照明することができる。
【００１９】
また本発明は、前記表示部材と前記表示窓との間に第１の導光体が配置され、この第１の導光体の壁面を利用して前記反射手段が形成されることを特徴とする。
これによれば、第２の反射手段からの光は第１の導光体によってガイドされながら反射手段に至り、反射手段を通じて反射した光は第１の導光体によってガイドされながら表示窓方向へ向かうため、照明効率を向上させることができると共に、導光体の一部を利用して反射手段を設けたことにより部品点数の削減も可能となる。
【００２０】
また本発明は、前記光源と前記表示部材との間に第２の導光体が配置され、この第２の導光体の壁面を利用して前記第２の反射手段が形成されることを特徴とする。
これによれば、光源からの光は第２の導光体によってガイドされながら第２の反射手段に至り、第２の反射手段を通じて反射した光は第２の導光体によってガイドされながら表示部に向かうため、照明効率を向上させることができると共に、第２の導光体の一部を利用して第２の反射手段を設けたことにより部品点数の削減も可能となる。
【００２１】
また本発明は、前記第１の導光体に前記透明部材を連続形成したことを特徴とする。
これによれば、第１の導光体に透明部材が連続形成されるため、部品点数を削減することができる。
【発明の効果】
【００２２】
本発明によれば、初期の目的を達成することができ、視認性や見栄え品質、デザイン自由度の優れた表示装置を提供することができる。
【図面の簡単な説明】
【００２３】
【図１】本発明の第１の実施形態による表示装置の正面図。
【図２】同実施形態において表示板を除いた際の正面図。
【図３】図１のＡ−Ａ断面図。
【図４】本発明の第２の実施形態にかかわる表示装置の表示板を除いた際の正面図。
【図５】本発明の第３の実施形態にかかわる表示装置の表示板を除いた際の正面図。
【図６】図５のＢ−Ｂ断面図。
【図７】本発明の第４の実施形態にかかわる表示装置の表示板を除いた際の正面図。
【図８】図７のＣ−Ｃ断面図。
【図９】本発明の第５の実施形態にかかわる表示装置の要部断面図。
【図１０】本発明の第６の実施形態にかかわる表示装置の要部断面図。
【発明を実施するための形態】
【００２４】
以下、本発明の実施の形態について添付図面を用いて説明する。
【００２５】
図１から図３は、本発明による表示装置の第１の実施形態を示す。
【００２６】
図１〜図３において、本実施形態による表示装置は、例えば自動車用のコンビネーションメータに組み込まれるもので、回路基板１と、ケース２と、表示部材３と、駆動部材４と、反射手段５と、表示板６と、レンズ部材（透明部材）７とを備えている。
【００２７】
回路基板１は、例えば周知の硬質回路基板からなり、図示しない各種配線パターンや回路素子を有している。
【００２８】
ケース２は、例えば合成樹脂材料からなり、回路基板１上に配置されている。
【００２９】
このケース２は、例えば表示装置の骨格をなすものであり、図示しない箇所にて表示板６を支持すると共に、表示部材３の移動を案内するガイド壁（ガイド部材）２１，２２を一体に有している。
【００３０】
ガイド壁２１，２２は、それぞれが表示板６の後述する表示窓の形状に沿った円形状の周壁からなり、前記表示窓の外側を互いに間隔を空けて延びている。
【００３１】
これらガイド壁２１，２２は、所定高さを有するように表示板６側に平行に突出しており、この場合、内側に位置するガイド部材２１は、表示部材３が反射手段５に対向するように、外側のガイド部材２２に対して短く形成されている。
【００３２】
表示部材３は、例えば合成樹脂製フィルムによって柔軟性を有する表示部材として形成され、前記表示窓の形状に対応した形状の閉じられた（無端状ベルト状）の輪を形成するように、前記表示窓の直下を外れた表示板６の背後位置で、駆動部材４の一部を構成する従動ローラ（後述）に掛け渡されると共に、その扁平面がガイド壁２１、２２に沿って引き回されている。
【００３３】
この表示部材３の扁平面のうち、反射手段５に面する扁平面は、表示面３１として設定され、この表示面３１には、図２に示すように、例えば赤色と白色とでなる２色の表示部３２，３３が形成され、これら表示部３２，３３の境界には、境界部Ｂが形成されている。
【００３４】
駆動部材４は、表示部材３を長手方向に移動させる全ての構成部品を包含するもので、一対の従動ローラ４１，４２と、リングギヤ４３と、駆動ギヤ４４と、駆動源４５とから構成されている。
【００３５】
従動ローラ４１，４２は、一対のガイド壁２１，２２の一端（最小指示側端部）と他端（最大指示側）に位置し、無端状ベルト状の輪を形成する表示部材３が掛け渡されている。
【００３６】
リングギヤ４３は、例えば合成樹脂材料を用いて前記表示窓の形状に対応した形状に形成され、表示部材３の外側に配置されている。またリングギヤ４３の駆動ギヤ４４に対応する内周には、駆動ギヤ４４のギヤ歯と連結されるギヤ歯（図示しない）を有すると共に、その一部が連結部４３１を介して表示部材３の一部と連結されている。
【００３７】
駆動ギヤ４４は、例えば合成樹脂材料からなり、リングギヤ４３のギヤ歯に対応する外周に、リングギヤ４３のギヤ歯と連結されるギヤ歯（図示しない）を有する。
【００３８】
駆動源４５は、例えばステッピングモータからなり、駆動ギヤ４４を回転駆動する。
【００３９】
このように構成される駆動部材４において、駆動源４５を計測量に応じて回転させると、その回転は駆動ギヤ４４、リングギヤ４３、表示部材３の順で伝わり、表示部材３が長手方向に移動する。すると、表示部材３の移動に伴って境界部Ｂも移動するため、表示部３２，３３の移動量によって計測値を表示できる。
【００４０】
なおこの場合、表示部３２は境界部Ｂから矢印Ｅにて示す終了点まで連続形成されており、その長さは、前記表示窓の全域を表示部３２の色で表示できる長さに設定されている。
【００４１】
反射手段５は、例えば合成樹脂からなる基材の表面にミラー層をコーティングを施してなるもので、前記表示窓の形状に対応した形状を有すると共に前記表示窓の直下に位置した表示板６の背後位置に設けられている。また反射手段５は、図３に示すように、前記表示窓と表示部材３の双方に対向するように傾斜しており、前記ミラー層に写った表示部３２，３３の像を前記表示窓を通して視認させる（換言すると表示部３２，３３の像を前記ミラー層を通じて前記表示窓側に反射させることで前記表示窓を通して前記表示部３２，３３の像を視認させるものである。
【００４２】
表示板６は、例えば透光性を有する合成樹脂基板に地部６１と指標部６２を印刷してなると共に、反射手段５に対応した表示窓６３を有している。
【００４３】
指標部６１は、たとえば車速を示す数字と目盛からなり、等間隔に円弧状に配列されている。
【００４４】
表示窓６３は、指標部６１の配列形状に対応した円弧状の切り欠き部からなるが、透明部または透視部としてもよく、この表示窓６３を通して見える表示部３２（表示部３３）の長さによって計測量を表示するものである。
【００４５】
すなわち、本実施形態では、駆動部材４による表示部材３の移動により、境界部Ｂが指標部６２に沿って移動し、この移動を反射手段５に写して表示窓６３から視認させるものであり、移動によって変化する表示部３２（表示部３３）の長さによってその時の車速を表示可能であり、図１、図２では、境界部Ｂが指標部６２中、９０ｋｍ／ｈなる位置に対応する位置にある（＝９０ｋｍ／ｈなる車速を指示している）ことを示している。
【００４６】
レンズ部材７は、例えば透光性を有する合成樹脂材料からなり、観察者側に立体形状となる凸面を有する拡大レンズとして表示窓６３に嵌め込み固定されている。
【００４７】
以上のように、本実施形態では、指標部６２に沿った表示窓６３を有する表示板６と、この表示板６の背後に配置され表示窓６３を通じて視認可能な表示部３２，３３を有する表示部材３と、この表示部材３を移動させる駆動部材４とを備え、表示窓６３を通して視認される表示部３２，３３の移動量によって計測値を表示する表示装置において、表示部材３がその表示面３１に少なくとも２種類の異なる色の表示部３２，３３が設けられた柔軟性を有する帯状部材からなり、表示窓６２の直下を外れた表示板６の背後位置に、表示窓６３に沿って表示部材３の移動を案内するガイド壁（ガイド部材）２１，２２を設け、表示窓６３と表示部材３の双方に対向する表示板６の背後位置に、表示部３２，３３の像を表示窓６３側に反射させることにより表示窓６３を通して表示部３２，３３を視認させる反射手段５を設けたことにより、表示窓６３の直下を外れた位置に配置した表示部材３の表示部３２，３３が反射手段５によって、反射像として表示窓６３から視認されるため、表示部３２，３３の移動範囲が１８０度を超える場合でも表示窓６３および表示窓６３から見える表示部３２，３３の幅を一定に設定することができ、視認性や見栄え品質を向上させることができる。また柔軟性材料からなる表示部材３の表示部３２，３３を反射像として見せることで、表示部３２，３３の移動軌道を真円、楕円、螺旋等、任意に設定できるため、表示デザインの自由度を向上させることができる。
【００４８】
また本実施形態では、ガイド部材が表示窓６３に沿って延びる一対のガイド壁２１，２２からなり、表示部材３が表示窓６３の形状に対応した形状の閉じられた輪を形成するようにガイド壁２１，２２内に引き回され、駆動部材４が表示窓６３に対応した形状であって表示部材３と部分連結されるリングギア４３と、このリングギア４３を移動させる駆動源４５とからなることにより、表示部材を確実に作動させて表示部による表示を適正なものとすることができる。
【００４９】
また本実施形態では、表示窓６３に少なくとも観察者側に凸面を有するレンズ部材７を配置したことにより、表示に立体感を与え、斬新な見栄えを可能とすることができる。
【００５０】
次に図４に基づいて本発明の第２の実施形態を説明する。
本実施形態では、第１の実施形態にて採用した駆動部材４を廃止し、表示部材３に掛け渡される駆動ローラ４６及び従動ローラ４７と、駆動ローラ４６を駆動する駆動源４５とで駆動部材４６を構成したものである。
【００５１】
このように構成される本実施形態によれば、前記第１の実施形態と同様に表示部材３を移動させることができ、前記第１の実施形態と同様の効果を期待できると共に表示部材３を確実に作動させて表示部３２，３３による表示を適正なものとすることができる。またリングギヤが不要となる分、駆動部材４の小型化が可能となる。
【００５２】
次に図５，図６に基づいて本発明の第３の実施形態を説明する。
【００５３】
本実施形態では、表示部材３が表示部３２，３３と後述するピニオンギヤに連結される歯列を有する合成樹脂製のラック（ｒａｃｋ）からなるか、または表示部材３が表示部３２，３３と後述するピニオンギヤに連結される歯列を有する合成樹脂製のラック（ｒａｃｋ）に装着されてなり、駆動部材４がラックに対してラックアンドピニオン（ｒａｃｋ  ａｎｄ  ｐｉｎｉｏｎ）形式にて連結されるピニオンギヤ４８と、このピニオンギヤ４８を駆動する駆動源４５とからなり、さらにガイド部材を表示部材３の形状に対応した渦巻き状のガイド壁２３により形成している。
【００５４】
このように構成される本実施形態によれば、前記第１の実施形態と同様に表示部材３を移動させることができ、前記第１の実施形態と同様の効果を期待できると共に表示部材３を確実に作動させて表示部３２，３３による表示を適正なものとすることができる。またリングギヤが不要となる分、駆動部材４の小型化が可能となる。
【００５５】
なお前記第１〜第３の実施形態では、表示部３２，３３（境界部Ｂ）の移動範囲が１８０度を超える場合を示したが、１８０度以下であってもよい。
【００５６】
また表示部３２，３３（境界部Ｂ）の移動経路は円形や楕円形に限らず、任意の移動経路を設定できる。
【００５７】
次に図７、図８に基づいて本発明の第４の実施形態を説明する。
【００５８】
本実施形態では、表示部３２，３３のうち、表示部３２を印刷、塗装、着色部材の貼り付け等の任意の手段によって例えば赤色を有する透光性着色部として設け、表示部３３を例えば黒色の遮光性着色部として設け、表示部材３を挟んで反射手段５の反対側に表示部（透光性着色部）３２を透過照明する光源８を設けたものであり、かかる構成によれば、光源によって表示部を明るく照らすことができるので、暗所でも容易に視認することができる。
【００５９】
また光源８は、例えば発光ダイオードからなり、図示しない硬質回路基板あるいはフレキシブル回路基板に実装され、その光軸中心ＬＡが表示部３２を通って反射手段５に向かうように表示部材３の移動方向に沿って一定の間隔を空けて複数配置されている。このように構成することにより、移動する表示部３２を効率よく照明することができる。
【００６０】
なお光源８は、発光ダイオード等の点光源に限らず、蛍光管等の線状光源、電界発光素子等の面状光源を採用することもできるし、表示部材３の移動方向に沿った図示しない透光部材または拡散部材を表示部材３と光源８との間に設け、光源８の光を透光部材または拡散部材を通じて表示部材３に導いて表示部３２を照明してもよい。
【００６１】
また本実施形態では、表示部３２に対応するガイド部材箇所であるガイド壁２１に切り欠き部２４を設けている。このように構成することによって、ガイド部材によって表示部材３を移動案内しながら表示部３２を照明することができる。
【００６２】
なおレンズ部材７は、観察者側に立体形状を有する透明部材であれば、任意の構造を適用でき、例えば角部を介して連続する複数の平面を観察者側外表面に有する凸部によって表示に立体感を与えるものや複数の微細な凹凸部を観察者側外表面に有するフレネルレンズ部によって表示に浮遊感を与えるものであってもよい。
【００６３】
次に図９に基づいて本発明の第５の実施形態を説明する。
【００６４】
本実施形態では、表示部３２，３３のうち、表示部３２を透光性着色部として設け、表示部３３を例えば黒色の遮光性着色部として設けている点、表示部３２に対応するガイド部材２１箇所に切り欠き部２４を設けた点では、前記第４の実施形態と同様であるが、反射手段５の反対側に第２の反射手段５１を設け、この第２の反射手段５１を通じて反射した光が表示部３２を透過して反射手段５に向かうように第２の反射手段５１に対して光源８を対向配置したもので、これによっても表示部２３を明るく照らすことができるので、暗所でも容易に視認することができる。
【００６５】
この場合、光源８は、表示板６に対向配置され、駆動源４５を搭載する回路基板１上に表示部材３の移動方向に沿って間隔を空けて複数配置されており、個々の光源８は、その光軸中心ＬＡが反射手段５と第２の反射手段５１との対向方向に対して交差する（直交する）方向に向かい、第２の反射手段５１に対向するよう設定されている。このように構成することにより、駆動源４５を搭載する回路基板１に光源８も搭載することができることに加え、前記第４の実施形態のごとく光軸中心ＬＡが回路基板１の基板面と平行となる高価なサイドビュー型発光ダイオードではなく、光軸中心ＬＡが回路基板１の厚み方向となる安価なトップビュー型発光ダイオードを用いることができるので、コストダウンを達成できる。
【００６６】
また本実施形態の場合、表示部材３と表示窓６３との間に第１の導光体９が配置され、また光源８と表示部材３との間に第２の導光体９１が配置されている。
【００６７】
第１の導光体９は、例えば透光性合成樹脂によって断面形状が略三角形、平面形状が表示部材３の移動方向に沿った円弧状（長尺状）に形成され、表示窓６３と第２の反射手段５１との双方に対向する壁面を利用して反射手段５が形成されている。
【００６８】
このように構成することにより、第２の反射手段５１からの光は第１の導光体９によってガイドされながら反射手段５に至り、反射手段５を通じて反射した光は第１の導光体９によってガイドされながら表示窓６３方向へ向かうため、光利用効率の向上や照明（輝度）ムラの低減を図り照明品質を高めることができる。また導光体９の一部を利用して反射手段５を設けたことにより部品点数の削減も可能となる。
【００６９】
第２の導光体９１は、第１の導光体９と同じく例えば透光性合成樹脂によって断面形状が略三角形、平面形状が表示部材３の移動方向に沿った円弧状（長尺状）に形成され、光源８と第１の反射手段５との双方に対向する壁面を利用して第２の反射手段５１が形成されている。
【００７０】
このように構成することにより、光源８からの光は第２の導光体９１によってガイドされながら第２の反射手段５１に至り、第２の反射手段５１を通じて反射した光は第２の導光体９１によってガイドされながら表示部３２に向かうため、光利用効率の向上や照明（輝度）ムラの低減を図り照明品質を高めることができる。また第２の導光体９１の一部を利用して第２の反射手段５１を設けたことにより部品点数の削減も可能となる。
【００７１】
なお本実施形態では、第１，第２の導光体９，９１の壁面を利用して各反射手段５，５１を設けたが、専用の反射板や反射部材を用いてもよい。
【００７２】
また本実施形態では、第１，第２の反射手段５，５１の双方を覆うことにより、第１，第２の反射手段５，５１から外部へ漏洩する光を減少させる反射体２００を設けている。
【００７３】
この反射体２００は、ケース２と一体に設けることもできるが、第１，第２の反射手段５，５１の少なくと一方を覆うことができれば、ケース２とは別部材で設けてもよい。
【００７４】
次に図１０に基づいて本発明の第６の実施形態を説明する。
【００７５】
本実施形態では、第１の導光体５とレンズ部材７とを一体部品として設けたもので、他は第５の実施形態と同じである。
【００７６】
このように構成したことにより、部品点数の削減に伴うコストダウンを達成することができる。
【符号の説明】
【００７７】
１  回路基板
２  ケース
３  表示部材
４  駆動部材
５  反射手段
６  表示板
７  レンズ部材
８  光源
９  第１の導光体
２１，２２，２３  ガイド壁（ガイド部材）
２４  切り欠き部
３１  表示面
３２，３３  表示部
４１，４２  従動ローラ
４３  リングギヤ
４４  駆動ギヤ
４５  駆動源
４６  駆動ローラ
４７  従動ローラ
４８  ピニオンギヤ
５１  第２の反射手段
６１  地部
６２  指標部
６３  表示窓
９１  第２の導光体
２００  反射体
Ｂ  境界部
ＬＡ  光軸中心
【図１】
2010223927.tif 000003
【図２】
2010223927.tif 000004
【図３】
2010223927.tif 000005
【図４】
2010223927.tif 000006
【図５】
2010223927.tif 000007
【図６】
2010223927.tif 000008
【図７】
2010223927.tif 000009
【図８】
2010223927.tif 000010
【図９】
2010223927.tif 000011
【図１０】
2010223927.tif 000012